(57)【要約】【課題】所望の位置に駐車するための目印を表示画面上に表示することができる車両用モニタ装置を提供する。【解決手段】車両用バックモニタ装置１の表示モニタ１３の表示画面にタッチパネル１４を設ける。所望の位置に駐車したとき、車両用バックモニタ装置１の表示画面に表示されているものの中から目印となるものを探す。そして、目印となるものの表示位置に目印となる線図を描く。描いた線図はデータ記憶部１６に登録される。車両を駐車するときに、車両後方の映像とともにその目印を表示画面に表示する。【選択図】図１
2008037120.tif 000002
【特許請求の範囲】
【請求項１】
ビデオカメラで撮影された車両周辺を表示する表示モニタと、
前記表示モニタの表示画面に設けられたタッチパネルと、
前記タッチパネルに描かれた線図を記憶する記憶手段と、
前記車両周辺を表示した表示画面に重畳して、描かれたときの表示画面上の位置、大きさを変えずに、前記記憶手段によって記憶された線図を表示する表示制御手段とを備えることを特徴とする車両用モニタ装置。
【請求項２】
請求項１に記載の車両用モニタ装置において、
前記表示モニタは前記ビデオカメラで撮影された車両後方を表示することを特徴とする車両用モニタ装置。
【請求項３】
請求項１または２に記載の車両用モニタ装置において、
前記タッチパネルに線図が描かれたときの車両位置を検出する位置検出手段を備え、
前記記憶手段は、前記タッチパネルに描かれた線図とともに、前記線図が描かれたときの車両位置を記憶し、
前記表示手段は、前記記憶手段によって記憶されている車両位置から所定範囲内に車両があるとき、前記車両位置で描かれた線図を表示することを特徴とする車両用モニタ装置。
【請求項４】
請求項１または２に記載の車両用モニタ装置において、
前記記憶手段は、前記タッチパネルに描かれた線図とともに、前記線図が描かれた場所を記憶し、
前記記憶手段によって記憶されている場所の中から所定の場所を選択する選択手段を備え、
前記表示手段は、前記選択手段によって選択された場所において描かれた線図を表示することを特徴とする車両用モニタ装置。
【請求項５】
ビデオカメラで撮影された車両周辺を表示する表示モニタの表示画面に設けられたタッチパネルに描かれた線図を記憶し、
前記車両周辺を表示した表示画面に重畳して、描かれたときの表示画面上の位置、大きさを変えずに、記憶された線図を表示する目印表示方法。
【発明の詳細な説明】
【技術分野】
【０００１】
本発明は、車両周辺を表示する車両用モニタ装置に関する。
【背景技術】
【０００２】
運転者が所望の位置に車両を容易に駐車できるようにするため、車両後方の視界が表示されているモニタ画面上に後進予想軌跡など目印を表示する後方視界表示装置が従来技術として知られている（特許文献１）。
【特許文献１】特開２００２−１９４９２号公報
【発明の開示】
【発明が解決しようとする課題】
【０００３】
特許文献１に記載されている後方視界表示装置では、バックガイドモニタ用電子制御ユニットで演算して目印を表示するので、演算に使用するパラメータやカメラの取り付け位置などの関係上、予め特定された車種しか取り付けることはできない。したがって、特許文献１に記載されている後方視界表示装置では、同じ後方視界表示装置をいろいろな車種に取り付けることができないという問題点がある。
【課題を解決するための手段】
【０００４】
（１）請求項１の発明の車両用モニタ装置は、ビデオカメラで撮影された車両周辺を表示する表示モニタと、表示モニタの表示画面に設けられたタッチパネルと、タッチパネルに描かれた線図を記憶する記憶手段と、車両周辺を表示した表示画面に重畳して、描かれたときの表示画面上の位置、大きさを変えずに、記憶手段によって記憶された線図を表示する表示制御手段とを備えることを特徴とする。
（２）請求項２の発明は、請求項１に記載の車両用モニタ装置において、表示モニタはビデオカメラで撮影された車両後方を表示することを特徴とする。
（３）請求項３の発明は、請求項１または２に記載の車両用モニタ装置において、タッチパネルに線図が描かれたときの車両位置を検出する位置検出手段を備え、記憶手段は、タッチパネルに描かれた線図とともに、線図が描かれたときの車両位置を記憶し、表示手段は、記憶手段によって記憶されている車両位置から所定範囲内に車両があるとき、車両位置で描かれた線図を表示することを特徴とする。
（４）請求項４の発明は、請求項１または２に記載の車両用モニタ装置において、記憶手段は、タッチパネルに描かれた線図とともに、線図が描かれた場所を記憶し、記憶手段によって記憶されている場所の中から所定の場所を選択する選択手段を備え、表示手段は、選択手段によって選択された場所において描かれた線図を表示することを特徴とする。
（５）請求項４の発明の目印表示方法は、ビデオカメラで撮影された車両周辺を表示する表示モニタの表示画面に設けられたタッチパネルに描かれた線図を記憶し、車両周辺を表示した表示画面に重畳して、描かれたときの表示画面上の位置、大きさを変えずに、記憶された線図を表示する。
【発明の効果】
【０００５】
本発明によれば、車両周辺を表示する表示モニタの表示画面に設けられたタッチパネルに描かれた線図を記憶し、車両周辺を表示した表示画面に重畳して記憶された線図を表示する。したがって、駐車の目印を予め描いて記憶させ、その目印を表示モニタに表示することによって所望の位置に駐車することができる。
【発明を実施するための最良の形態】
【０００６】
本発明の一実施形態による車両用バックモニタ装置の構成を図１に示す。図１の車両用バックモニタ装置１は、車両後方を表示した表示画面に指などで線図を描くことができる。車両用バックモニタ装置１は、制御回路１１、現在地検出装置１２、表示モニタ１３、タッチパネル１４、データ記憶部１６、ビデオカメラ１７およびＲポジション検出装置１８を有している。
【０００７】
制御回路１１は、マイクロプロセッサ及びその周辺回路からなり、ビデオカメラ１７から出力された画像信号を表示モニタ１３に表示する。また、タッチパネル１４から入力された押圧位置を順次表示モニタ１３に表示し、表示画面に指などで描かれた線図を表示モニタ１３に表示する。描かれた線図は、ビデオカメラ１７からの映像と重畳して表示することができる。
【０００８】
現在地検出装置１２は、ＧＰＳ（ Global Positioning System ）衛星からのＧＰＳ信号を検出して車両の現在地を検出する。
【０００９】
表示モニタ１３は、ビデオカメラ１７が撮影した車両後方の映像を表示したり、タッチパネル１４において描かれた線図などを表示したりする。ユーザは、表示モニタ１３の映像によって車両後方の状況を把握することができる。
【００１０】
タッチパネル１４は、表示モニタ１３の表示画面に積層される透明のタッチスイッチであり、表示モニタ１３に表示される映像はタッチパネル１４を通して表示される。タッチパネル１４は、タッチパネル１４上の操作位置に応じた信号をタッチパネルコントロール部１５に送出し、タッチパネルコントロール部１５はタッチパネル１４の押圧位置を算出する。算出した押圧位置は制御回路１１に出力される。
【００１１】
データ記憶部１６はフラッシュメモリやハードディスク等の書き換え可能な不揮発性記録媒体によって構成され、タッチパネル１４に描かれた線図と、その線図が描かれたときの車両の位置座標とを記憶する。
【００１２】
ビデオカメラ１７は、車両後部に設置され、車両後方を撮影する。撮影した映像は、画像信号として制御回路１１に出力される。
【００１３】
Ｒポジション検出装置１８は、シフトレバーが、“Ｒ”（後進状態）位置であるか検出する。
【００１４】
所望の位置に駐車するために行う車両用バックモニタ装置１の操作について、図２および３を参照して説明する。
【００１５】
駐車時に、所望の位置に駐車するための目印を表示モニタ１３に表示するためには、目印を描いて車両用バックモニタ装置１に予め登録しておく必要がある。この登録操作について、図２を参照して説明する。図２（ａ）は、ユーザが自宅の駐車場２１の所望の位置に駐車したときの車両２２の位置を説明するための図である。ここで、ユーザは、車両２２を後進して駐車したものとする。車両２２を後進して駐車する場合、車両後方はよく見えないため、何度も車輪を切り返す必要がある。
【００１６】
図２（ｂ）は、車両２２を所望の位置に駐車したときに表示モニタ１３に表示される車両後方の映像を示す図である。ここで、表示モニタ１３には、駐車場２１の一部が表示されているものとする。表示モニタ１３の表示画面には、車両後方の映像とともに登録ボタン２３と取消ボタン２４とが表示される。登録ボタン２３は表示画面に描いた線図をデータ記憶部１６に記憶、つまり登録するためのボタンである。取消ボタン２４は描いた線図を消去するボタンである。
【００１７】
ユーザは、所望の位置に駐車したとき、表示モニタ１３の表示画面の中から目印の対象を探し、その対象が表示されている位置に目印を描く。ここで、駐車の目印として車両後方の駐車場の縁２１ａを探したものとする。駐車の目印となるように表示画面に表示されている駐車場の縁２１ａを指でなぞり、線図２５を描く。そして、登録ボタン２３を押圧し、描いた線図２５をデータ記憶部１６に登録する。また、登録ボタン２３を押圧すると、同時に現在地検出装置１２で検出した、線図２５を描いたときの車両２２の位置座標がデータ記憶部１６に記憶される。
【００１８】
目印を登録した後に、所望の位置に駐車するための運転操作について、図３を参照して説明する。ユーザは、図３（ａ）に示すように、車両２２を矢印方向に後退して、駐車場２１に駐車しようとしているものとする。
【００１９】
シフトレバーを“Ｒ”位置（車両後進の位置）にすると、図３（ｂ）に示すように表示モニタ１３に車両後方の映像が表示される。そして、現在地検出装置１２によって検出された車両２２の位置座標から、データ記憶部１６に記憶されている車両位置のデータが照合され、駐車場２１に駐車していた時に入力した線図２５が車両後方の映像に重畳して表示される。ここで、表示される線図２５の表示画面に対する位置や大きさは、描画されたときと同一である。
【００２０】
ユーザは、車両後方の映像として映し出される駐車場の縁２１ａが線図２５と重なるように車両２２を後進する。そして、駐車場の縁２１ａが線図２５と重なった地点で車両２２を停車する。以上のような運転操作によって、操作者は車両２２を所望の位置に簡単に、しかも正確に駐車することができる。
【００２１】
本発明の実施形態における車両用バックモニタ装置１の目印表示処理について、図４のフローチャートを参照して説明する。図４の処理は、シフトレバーを“Ｒ”位置にするとスタートするプログラムにより、制御回路１１において実行される。
【００２２】
ステップＳ４０１では、車両後方の映像を表示モニタ１３に表示する。ステップＳ４０２では、現在地検出装置１２によって車両２２の現在地を検出する。ステップＳ４０３では、検出した現在地がデータ記憶部１６に記憶されている車両の位置座標から所定範囲内であるか否かを判定する。所定範囲内である場合はステップＳ４０３が肯定判定され、ステップＳ４０４へ進む。所定範囲内でない場合は目印表示処理を終了する。
【００２３】
ステップＳ４０４では、データ記憶部１６に記憶されている線図の中から、検出した現在地が所定範囲内に含まれる車両の位置座標に対応する線図２５、つまり検出した現在地から所定範囲内で描かれ記憶された線図２５を読み込む。ステップＳ４０５では、描かれたときの表示画面に対する位置および大きさを変えずに、表示モニタ１３に表示されている映像に重畳して線図２５を表示する。ステップＳ４０６では、Ｒポジション検出装置１８によって、シフトレバーの位置が“Ｒ”の位置であるか判定する。“Ｒ”の位置である場合はステップＳ４０５に戻る。“Ｒ”以外の位置である場合はステップＳ４０６が否定判定され、目印表示処理は終了する。
【００２４】
以上の実施の形態による車両用バックモニタ装置１は次のような作用効果を奏する。
（１）表示モニタ１３に表示された車両後方の映像に重畳して線図を描くことができる。したがって、所望の位置に駐車したときに表示モニタ１３の表示画面に、所望の位置に駐車するための目印を描くことができる。また、車両後方を撮影するビデオカメラ１７の取り付け位置は特に限定されないので車両用バックモニタ装置１を取り付ける車種は限定されない。
【００２５】
（２）駐車するときに車両位置に対応した目印が表示されるので、駐車位置に関係ある目印のみ表示される。したがって、不必要な目印が車両用バックモニタ装置に表示され、目印が目障りになることはない。また、複数の目印を登録した場合でも、自動的にそれぞれの駐車位置に対応した目印が表示されるので、それぞれの駐車位置に係る目印を操作者が選択する必要はない。したがって、操作者の利便性が向上する。
【００２６】
以上の実施の形態のナビゲーション装置１を次のように変形することができる。
（１）車両後方視界の映像を表示した表示画面に目印を描いて入力することができれば、入力装置はタッチパネル１８に限定されない。操作パネルやリモコンの操作によって入力できるようにしてもよい。
【００２７】
（２）車両のギアポジションがバックギアの位置にあることを検出できれば、Ｒポジション検出装置１８に限定されない。
【００２８】
（３）車両周辺を表示する車両用モニタ装置であれば、車両後方を表示する車両用モニタ装置に限定されない。たとえば、車両の側面方向や車両前方を表示する車両用モニタ装置でもよい。車両の側面方向や車両前方においても目印を表示して、所望の位置に車両を駐停車することができるからである。
【００２９】
（４）目印となる線図を登録するとき、一緒に、「自宅駐車場」や「会社の駐車場」、「契約駐車場」、「スーパーマーケットの駐車場」などの場所も登録し、登録した場所をリストやアイコンで表示し、そのリストやアイコンの中から目印を表示する場所を選択することによって、所望の目印を表示画面に表示できるようにしてもよい。現在地が検出できない場所や、スーパーマーケットの駐車場のように場所が変わっても同じ目印を使用できる場合にも本願発明は適用でき、ユーザの利便性が向上する。
【００３０】
（５）車両後方の映像の中から目印と表示位置を一致させる箇所を指などでなぞって指定し、その指定箇所の表示位置が目印と一致した場合、一致した旨を知らせる目印の点滅表示などの特別な表示、ブザー音や音声などが出力されるようにしてもよい。また、登録時の画像全体、または一部の範囲の画像データを記憶しておき、画像処理より撮影している画像がその画像データの画像と一致したと判断した場合、目印が一致したと判断し、一致した旨を知らせるようにしてもよい。表示モニタ１３を常に眺めている必要がないので、周りを確認しながら所望の位置に駐車することができる。
【００３１】
（６）表示モニタ１３に表示されたものの中から、ユーザが目印となるものを探して目印を描いて登録したが、表示モニタ１３の表示画面を画像処理して自動的に目印となるものを探し出し、目印が自動的に描いて登録されるようにしてもよい。ユーザは目印を登録する操作を行う必要はなく、利便性が向上する。
【００３２】
本発明による車両用モニタ装置は上記実施の形態や変形例に何ら限定されず、車両周辺を表示する表示モニタと、表示モニタの表示画面に設けられたタッチパネルと、タッチパネルに描かれた線図を記憶する記憶手段と、車両周辺を表示した表示画面に重畳して、描かれたときの表示画面上の位置、大きさを変えずに、記憶手段によって記憶された線図を表示する表示手段とを備えることを特徴とする車両用モニタ装置であれば、どのようなものでもよい。  
【００３３】
特許請求の範囲の要素と実施の形態との対応関係を説明する。
本発明の記憶手段はデータ記憶部１６に対応し、表示制御手段は制御回路１１に対応する。位置検出手段は現在地検出装置１２に対応する。なお、以上の説明はあくまで一例であり、発明を解釈する上で、上記の実施形態の構成要素と本発明の構成要素との対応関係になんら限定されるものではない。
【図面の簡単な説明】
【００３４】
【図１】本発明の実施形態の車両用バックモニタ装置の構成を示すブロック図である。
【図２】図２（ａ）は所望の位置に駐車したときの車両の位置を説明するための図であり、図２（ｂ）は車両を所望の位置に駐車したときに表示モニタに表示される映像を説明するための図である。
【図３】図３（ａ）は車両の駐車場への駐車を説明するための図であり、図３（ｂ）は駐車する際に表示モニタに表示される目印を説明するための図である。
【図４】本発明の実施形態における目印表示処理を説明するためのフローチャートである。
【符号の説明】
【００３５】
１  車両用バックモニタ装置
１１  制御回路
１２  現在地検出装置
１３  表示モニタ
１４  タッチパネル
１５  タッチパネルコントロール部
１６  データ記憶部
１７  ビデオカメラ
１８  Ｒポジション検出装置
２１  駐車場
２１ａ  駐車場の縁
２２  車両
２３  登録ボタン
２４  取消ボタン
２５  線図
【図１】
2008037120.tif 000003
【図２】
2008037120.tif 000004
【図３】
2008037120.tif 000005
【図４】
2008037120.tif 000006